(57)【要約】【課題】板バネ状の導電部材のストロークを小さくしつつ、導電部材の付勢力を高める。【解決手段】コネクタ５０は、第１本体部２１と、板バネ状の導電部材４５とを有する。導電部材４５の板バネ部４６の一端面には、接点部４６ａが設けられている。導電部材４５における接点部４６ａの周囲には、複数の折曲部４６ｂが設けられている。折曲部４６ｂは、板バネ部４６の厚み方向の他端側に折り曲げられて第１本体部２１の当接部２５に当接している。【選択図】図５
2020102408.tif 000002
【特許請求の範囲】
【請求項１】
樹脂製の本体部と、該本体部に設けられた板バネ状の導電部材とを備えたコネクタであって、
前記導電部材の厚み方向の一端面には、接点部が設けられ、
前記導電部材における前記接点部の周囲には、該導電部材の厚み方向の他端側に折り曲げられた折曲部が複数設けられ、
前記本体部には、前記折曲部に当接する当接部が設けられているコネクタ。
【請求項２】
請求項１において、
前記本体部には、前記導電部材の前記接点部よりも厚み方向に突出した突出部が設けられているコネクタ。
【請求項３】
請求項１又は２に記載のコネクタと、
前記コネクタの前記導電部材の接点部に電気的に接続された発光モジュールとを備えた照明器具。
【発明の詳細な説明】
【技術分野】
【０００１】
本発明は、コネクタ及び照明器具に関するものである。
【背景技術】
【０００２】
特許文献１には、ホルダの保持電極によって、ＬＥＤ基板を放熱部材の搭載面に対して固定保持するようにしたＬＥＤ照明モジュールが開示されている。ホルダの保持電極は、弾性変形した状態でＬＥＤ基板を押圧している。
【先行技術文献】
【特許文献】
【０００３】
【特許文献１】特開２０１６−１６７４３８号公報
【発明の概要】
【発明が解決しようとする課題】
【０００４】
ところで、ＬＥＤ基板の保持力を高めるためには、ホルダからの保持電極の飛び出し量を大きくして、保持電極のストロークを大きくすることが考えられる。
【０００５】
しかしながら、保持電極の飛び出し量を大きくすると、モジュールを仮組み立てした後の保管中や輸送中に、保持電極が引っ掛かり易くなって破損するおそれがある。
【０００６】
本発明は、かかる点に鑑みてなされたものであり、その目的は、導電部材のストロークを小さくしつつ、導電部材の付勢力を高めることにある。
【課題を解決するための手段】
【０００７】
本発明は、樹脂製の本体部と、該本体部に設けられた板バネ状の導電部材とを備えたコネクタを対象とし、次のような解決手段を講じた。
【０００８】
すなわち、第１の発明は、前記導電部材の厚み方向の一端面には、接点部が設けられ、前記導電部材における前記接点部の周囲には、該導電部材の厚み方向の他端側に折り曲げられた折曲部が複数設けられ、前記本体部には、前記折曲部に当接する当接部が設けられているものである。
【０００９】
第１の発明では、板バネ状の導電部材の一端面に接点部が設けられる。導電部材における接点部の周囲に複数の折曲部が設けられる。折曲部は、導電部材の厚み方向の他端側に折り曲げられて本体部の当接部に当接している。
【００１０】
これにより、板バネ状の導電部材のストロークを小さくしつつ、導電部材の付勢力を高めることができる。
【００１１】
具体的に、板バネ状の導電部材に接点部が設けられた構成において、導電部材の付勢力を高めるためには、導電部材の折り曲げ量を大きくして、導電部材のストロークを大きくする必要がある。しかしながら、導電部材の折り曲げ量を大きくすると、本体部からの導電部材の飛び出し量が大きくなるので、導電部材が引っ掛かり易くなってしまう。
【００１２】
これに対し、本発明では、導電部材の接点部の周囲に複数の折曲部を設け、接点部が押圧されたときに、複数の折曲部が本体部の当接部に当接しながら弾性変形するようにしている。これにより、導電部材のストロークを大きくしなくても、複数の折曲部によって導電部材の付勢力を確保することができる。
【００１３】
また、導電部材の接点部にかかる応力が複数の折曲部で分散されるので、導電部材の根元部分にかかる応力を緩和することができる。
【００１４】
第２の発明は、第１の発明において、前記本体部には、前記導電部材の前記接点部よりも厚み方向に突出した突出部が設けられているものである。
【００１５】
第２の発明では、本体部の突出部が、導電部材の接点部よりも厚み方向に突出している。これにより、仮組み立てした後の保管中や輸送中に、他の部材などが導電部材の接点部に引っ掛かる前に突出部に衝突するため、導電部材の接点部を突出部によって保護することができる。
【００１６】
第３の発明は、第１又は第２の発明に記載のコネクタと、前記コネクタの前記導電部材の接点部に電気的に接続された発光モジュールとを備えた照明器具である。
【００１７】
第３の発明では、第１又は第２の発明に記載のコネクタの接点部に、発光モジュールを電気的に接続することで、照明器具を構成するようにしている。
【発明の効果】
【００１８】
本発明によれば、板バネ状の導電部材のストロークを小さくしつつ、導電部材の付勢力を高めることができる。
【図面の簡単な説明】
【００１９】
【図１】本実施形態に係る照明器具の構成を示す斜視図である。
【図２】ホルダの構成を示す斜視図である。
【図３】ホルダの構成を示す分解斜視図である。
【図４】導電部材の構成を示す斜視図である。
【図５】コネクタの構成を示す斜視図である。
【図６】コネクタの構成を示す正面図である。
【発明を実施するための形態】
【００２０】
以下、本発明の実施形態を図面に基づいて説明する。なお、以下の好ましい実施形態の説明は、本質的に例示に過ぎず、本発明、その適用物或いはその用途を制限することを意図するものではない。
【００２１】
図１に示すように、照明器具１０は、器具本体１１と、ホルダ１５と、ホルダ１５に保持された発光モジュール４０とを備えている。
【００２２】
器具本体１１は、光を出射する出射部１２と、ホルダ１５を収納する収納部１３と、発光モジュール４０で生じた熱を放熱させるフィン部１４とを備えている。
【００２３】
出射部１２は、円筒状の部材で形成されている。出射部１２の内面は、出射端の開口に向かって次第に径方向外側に広がるように傾斜している。出射部１２の内面は、発光モジュール４０から出射される光を反射する反射面を構成している。
【００２４】
出射部１２の内面には、光の反射率を高めるために、蒸着、メッキ、スパッタリング等により金属層が形成されていてもよく、研磨等により鏡面仕上げされていてもよい。また、出射部１２の内面に、白色顔料を含有する白色の塗膜が形成されていてもよい。
【００２５】
ホルダ１５には、発光モジュール４０が保持されている。発光モジュール４０は、例えば、正方形状の基板４１に実装されたＣＯＢ（Chip on Board）タイプの発光部４２を有する。発光部４２は、例えば、ＬＥＤ（Light Emitting Diode）で構成されている。
【００２６】
ホルダ１５は、発光モジュール４０の発光部４２を出射部１２の開口に向けた姿勢で、収納部１３に収納されている。
【００２７】
フィン部１４は、発光モジュール４０に熱的に接触されている。発光モジュール４０で生じた熱は、フィン部１４から放熱される。
【００２８】
図２及び図３に示すように、ホルダ１５は、第１絶縁部材２０と、第２絶縁部材３０とを有する。第１絶縁部材２０及び第２絶縁部材３０は、樹脂材料で構成されている。第１絶縁部材２０及び第２絶縁部材３０は、発光モジュール４０を厚み方向に挟んだ状態で保持する。ホルダ１５は、基台（図示省略）にネジ止めされる。
【００２９】
第１絶縁部材２０は、第１本体部２１を有する。第１本体部２１は、中央が開口する窓枠状に形成されている。第１本体部２１の中央の開口からは、発光モジュール４０の発光部４２及び配線部４３が露出している。
【００３０】
第１本体部２１には、平面視で発光モジュール４０の電極部４４に重なる位置に、当接部２５が設けられている。当接部２５は、図３で左上隅部と右下隅部に配置され、第１本体部２１の中央の開口内に突出している。
【００３１】
第１本体部２１の左右の側壁には、係合孔２２が形成されている。係合孔２２には、後述する第２絶縁部材３０の係合爪３４が係合される。第１本体部２１には、電線（図示省略）を挿入するための電線挿入孔２３が設けられている。第１本体部２１には、板バネ状の導電部材４５が取り付けられている。なお、導電部材４５の具体的な構成については後述する。
【００３２】
第１本体部２１には、図２で左上角部と右下角部とにボス部２４が設けられている。ボス部２４には、ネジ（図示省略）を挿通させる貫通孔２４ａが形成されている。ボス部２４を基台（図示省略）にネジ止めすることで、ホルダ１５が基台に固定される。
【００３３】
本実施形態では、第１絶縁部材２０の第１本体部２１と導電部材４５とによって、コネクタ５０が構成されている。コネクタ５０は、導電部材４５の接点部４６ａと発光モジュール４０の電極部４４とを電気的に接続させる。また、コネクタ５０は、電線（図示省略）から供給される電力を、導電部材４５を介して発光モジュール４０に供給する。
【００３４】
発光モジュール４０は、基板４１と、基板４１の表面に設けられた発光部４２とを有する。基板４１は、矩形状の平板で構成されている。基板４１は、熱伝導性が高い材料で構成することが好ましく、例えば、セラミック基板により構成される。
【００３５】
発光部４２は、丸型形状に形成されている。基板４１の表面には、一対の電極部４４が配置されている。発光部４２と電極部４４とは、配線部４３によって電気的に接続されている。そして、導電部材４５から電極部４４及び配線部４３を介して、発光部４２が発光するための電力が供給される。
【００３６】
第２絶縁部材３０は、第２本体部３１を有する。第２本体部３１は、厚み方向に貫通する開口部３２が設けられ、中央が開口する窓枠状に形成されている。第２本体部３１の開口部３２の周縁部は、発光モジュール４０の下面を支持する支持部３３を構成している。
【００３７】
第２本体部３１の左右の側壁には、係合爪３４が設けられている。第１絶縁部材２０と第２絶縁部材３０とは、係合孔２２に係合爪３４を係合させることで、仮組み立て状態とされる。第１絶縁部材２０と第２絶縁部材３０との間には、発光モジュール４０が挟まれた状態で保持されている。
【００３８】
ところで、板バネ状の導電部材４５に接点部４６ａが設けられた構成において、導電部材４５の付勢力を高めるためには、導電部材４５の折り曲げ量を大きくして、導電部材４５のストロークを大きくする必要がある。しかしながら、導電部材４５の折り曲げ量を大きくすると、第１絶縁部材２０からの導電部材４５の飛び出し量が大きくなるので、導電部材４５が引っ掛かり易くなってしまう。
【００３９】
そこで、本実施形態では、導電部材４５の形状を工夫することで、導電部材４５のストロークを小さくしつつ、導電部材４５の付勢力を高めるようにした。
【００４０】
具体的に、図４及び図５に示すように、導電部材４５は、いわゆる速結端子であって、板バネ部４６と、端子本体部４７と、電線保持部４８とを有する。板バネ部４６、端子本体部４７、電線保持部４８は、一つの板状の金属（例えば、銅板）に対して折り曲げ加工や切り起こし加工を施すことで形成されている。導電部材４５は、第１本体部２１の図３で左上隅部と右下隅部に配置されている。
【００４１】
板バネ部４６は、平面視で第１本体部２１の当接部２５に重なるように延びている。板バネ部４６の先端部には、厚み方向の一端面（図４では下面）に接点部４６ａが設けられている。接点部４６ａは、発光モジュール４０の電極部４４に電気的に接触する。
【００４２】
板バネ部４６における接点部４６ａの周囲には、３つの折曲部４６ｂが設けられている。折曲部４６ｂは、板バネ部４６の先端部の三辺を、厚み方向の他端側（図４では上側）に折り曲げることで形成されている。折曲部４６ｂは、板バネ部４６の先端部から斜め上方に延びた後で、斜め下方に折り返された形状となっている。折曲部４６ｂの折り返し部分は、第１本体部２１の当接部２５の下面に当接している。
【００４３】
端子本体部４７は、上方が開口する断面凹状に形成されている。端子本体部４７は、第１本体部２１の内部に配置されている。
【００４４】
電線保持部４８は、端子本体部４７の側壁の一部が折り曲げられて形成されている。電線保持部４８は、電線挿入孔２３から挿入された電線（図示省略）を、端子本体部４７との間に挟み込んで保持する。
【００４５】
本実施形態のコネクタ５０では、発光モジュール４０の基板４１が導電部材４５の接点部４６ａに接触して、接点部４６ａが厚み方向に押圧されると、複数の折曲部４６ｂが当接部２５に当接しながら弾性変形することとなる。
【００４６】
これにより、導電部材４５の板バネ部４６のストロークを大きくしなくても、複数の折曲部４６ｂによって板バネ部４６の付勢力を確保することができる。
【００４７】
第１本体部２１の中央の開口の四隅には、断面Ｌ字状の突出部２６が設けられている。突出部２６は、発光モジュール４０の基板４１の四隅に位置して、発光モジュール４０の面内方向の移動を規制するものである。
【００４８】
図６に示すように、突出部２６は、導電部材４５の接点部４６ａよりも厚み方向にｈ［ｍｍ］だけ突出している。これにより、コネクタ５０を仮組み立てした後の保管中や輸送中に、他の部材などが導電部材４５の接点部４６ａに引っ掛かる前に突出部２６に衝突するため、導電部材４５の接点部４６ａを突出部２６によって保護することができる。
【００４９】
なお、本実施形態では、第１本体部２１の外枠部分の方が、突出部２６よりも厚み方向に突出している。そのため、突出部２６が設けられていなくても、第１本体部２１の外枠部分が突出部として機能することで、導電部材４５の接点部４６ａを同様に保護することができる。
【００５０】
《その他の実施形態》
前記実施形態については、以下のような構成としてもよい。
【００５１】
本実施形態では、発光モジュール４０の発光部４２をＬＥＤで構成するようにしたが、例えば、半導体レーザ等の半導体発光素子、有機ＥＬ（Electro Luminescence）、無機ＥＬ等の発光素子で構成するようにしてもよい。
【００５２】
また、本実施形態では、板バネ部４６の先端部に折曲部４６ｂを３つ設けるようにしたが、２つ以上であればよい。
【００５３】
また、本実施形態では、第１本体部２１と導電部材４５とを有するコネクタ５０を、発光モジュール４０を保持するホルダ１５に対して適用したが、この形態に限定するものではない。例えば、ＳＤカード等の着脱可能な部材を挿入して電気的に接続させるスロットに対して、本実施形態のコネクタ５０を適用してもよい。
【産業上の利用可能性】
【００５４】
以上説明したように、本発明は、板バネ状の導電部材のストロークを小さくしつつ、導電部材の付勢力を高めることができるという実用性の高い効果が得られることから、きわめて有用で産業上の利用可能性は高い。
【符号の説明】
【００５５】
１０    照明器具
２１    第１本体部
２５    当接部
２６    突出部
４０    発光モジュール
４５    導電部材
４６    板バネ部
４６ａ  接点部
４６ｂ  折曲部
５０    コネクタ
【図１】
2020102408.tif 000003
【図２】
2020102408.tif 000004
【図３】
2020102408.tif 000005
【図４】
2020102408.tif 000006
【図５】
2020102408.tif 000007
【図６】
2020102408.tif 000008